(57)【要約】 【課題】可搬型記憶媒体に記憶された検査オーダ情報を、容易に画像サーバに登録する。【解決手段】Ａ病院用画像サーバ５０において、メディアＭに検査オーダ情報と共に書き込まれた検査オーダ情報送信プログラムは、当該プログラムを読み込んだ汎用ＰＣ端末７０に、画像サーバ所在情報で設定されている診療所用画像サーバ９０にこの検査オーダ情報を送信させる。そして、診療所用画像サーバ９０は、当該検査オーダ情報をデータベースに登録する。【選択図】図１
2009271802.tif 000002
【特許請求の範囲】
【請求項１】
可搬型記憶媒体に検査オーダ情報と共に記憶されたプログラムであって、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させるためのプログラム。
【請求項２】
前記外部機器は、
医用画像データと共に前記検査オーダ情報を記憶管理する画像サーバである、
請求項１に記載のプログラム。
【請求項３】
前記外部機器は、
前記検査オーダ情報を含む医療情報の管理を行う情報管理装置である、
請求項１に記載のプログラム。
【請求項４】
検査オーダ情報を記憶する可搬型記憶媒体であって、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させるためのプログラムを前記検査オーダ情報と共に記憶する可搬型記憶媒体。
【請求項５】
前記外部機器は、
医用画像データと共に前記検査オーダ情報を記憶管理する画像サーバである、
請求項４に記載の可搬型記憶媒体。
【請求項６】
前記外部機器は、
前記検査オーダ情報を含む医療情報の管理を行う情報管理装置である、
請求項４に記載の可搬型記憶媒体。
【請求項７】
検査オーダ情報を可搬型記憶媒体に書き込む書込制御手段を備える情報処理装置であって、
前記情報処理装置の書込制御手段は、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させるためのプログラムを前記検査オーダ情報と共に可搬型記憶媒体に書き込む情報処理装置。
【請求項８】
前記外部機器は、
医用画像データと共に前記検査オーダ情報を記憶管理する画像サーバである、
請求項７に記載の情報処理装置。
【請求項９】
前記外部機器は、
前記検査オーダ情報を含む医療情報の管理を行う情報管理装置である、
請求項７に記載の情報処理装置。
【発明の詳細な説明】
【技術分野】
【０００１】
本発明は、プログラム、可搬型記憶媒体及び情報処理装置に関する。
【背景技術】
【０００２】
近年、多くの医療施設において情報のデジタル化が図られている。例えば、大規模、中規模の医療施設では、電子カルテシステムにおいて、撮影検査のオーダである検査オーダ情報が生成される。そして、当該生成された検査オーダ情報は、ＲＩＳ（Radiological Information System：放射線情報システム）等の情報管理装置（情報管理システム）を介して、ＣＲ（Computed Radiography）装置、ＣＴ（Computed Tomography）装置、ＭＲＩ（Magnetic Resonance Imaging）装置等の画像生成装置（モダリティ）に送信される。
【０００３】
モダリティは、検査オーダ情報に基づいて、患者の撮影を行い、当該撮影により得られた医用画像の画像データに付帯情報を付帯させて、ＤＩＣＯＭ（Digital Imaging and Communications in Medicine）規格に則ったＤＩＣＯＭ画像データを生成する。
【０００４】
一方、診療所等の小規模な医療施設では、一人の医師が患者の撮影検査や診断を行うため、検査オーダ情報は生成されず、モダリティは主に医師のユーザ操作等により患者の撮影を行う。つまり、診療所等の小規模な医療施設では、検査オーダ情報に基づいて撮影検査を行うシステム構成となっておらず、当該医療施設内の装置間で、検査オーダ情報に関する連携がとれていない。
【０００５】
また、大規模、中規模、小規模の医療施設には、画像サーバが設置されており、当該画像サーバは、モダリティにおいて生成されたＤＩＣＯＭ画像データを記憶管理する。画像サーバがＤＩＣＯＭ画像データを管理する技術として、例えば、付帯情報に含まれる検査情報（スタディ属性）、シリーズ情報（シリーズ属性）等に基づいた階層関係で、ＤＩＣＯＭ画像データを管理するものが提案されている（特許文献１参照）。
【０００６】
ところで、異なる医療施設（例えば、大学病院と診療所）で、同一患者に対して同じ検査を実施することは、モダリティの撮影による放射線被爆量や医療コスト等、様々な負担を患者に強いることになる。
【０００７】
このような多重検査を防ぐために、可搬型記憶媒体を介した医用画像（ＤＩＣＯＭ画像データ）のデータ移送が行われている。例えば、ある大学病院において撮影が行われ、当該撮影により生成された医用画像（ＤＩＣＯＭ画像データ）が可搬型記憶媒体に書き込まれる。そして、患者は、当該可搬型記憶媒体を受け取り、診療所に持っていく。そして、診療所では、新たに、患者の撮影（検査）を行わずに、当該可搬型記憶媒体に書き込まれたＤＩＣＯＭ画像データを参照して、患者の診断が行われる。
【０００８】
尚、これらの可搬型記憶媒体には、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、ＤＩＣＯＭ画像データが書き込まれるため、異なる医療施設間や、異なるベンダのシステム間において、当該ＤＩＣＯＭ画像データのデータ移送、データ参照が可能になっている。
【特許文献１】特開２００２−１３３３９３号公報
【発明の開示】
【発明が解決しようとする課題】
【０００９】
しかし、患者の紹介元である大規模な医療施設（例えば大学病院）から患者の紹介先である小規模な医療施設（例えば診療所）に、可搬型記憶媒体を介して、ＤＩＣＯＭ画像データをデータ移送した場合、当該可搬型記憶媒体に検査オーダ情報が記憶されていないため、紹介先の医療施設では、当該ＤＩＣＯＭ画像データを生成した撮影検査のオーダである検査オーダ情報を参照することはできなかった。
【００１０】
また、可搬型記憶媒体に検査オーダ情報を書き込み、紹介先である小規模な医療施設における電子カルテシステム等で当該可搬型記憶媒体を読み込んだ場合でも、当該医療施設内の装置間で、検査オーダ情報に関する連携がとれていないため、画像サーバに当該検査オーダを登録することができなかった。具体的に、小規模な医療施設では、前記可搬型記憶媒体を読み込んだ電子カルテシステムの装置から画像サーバに検査オーダ情報を送信する機能がないため、画像サーバに当該検査オーダ情報を登録することができなかった。
【００１１】
そのため、紹介先である小規模な医療施設における診断の際、検査オーダ情報固有の情報（例えば「検査理由」等）を画像サーバから取得することができず不便であった。
【００１２】
本発明は、上述したような課題に鑑みて為されたものであり、その目的とするところは、可搬型記憶媒体に記憶された検査オーダ情報を、容易に画像サーバに登録することである。
【課題を解決するための手段】
【００１３】
上記の課題を解決するために、請求項１に記載の発明は、
可搬型記憶媒体に検査オーダ情報と共に記憶されたプログラムであって、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させる。
【００１４】
請求項２に記載の発明は、請求項１に記載の発明において、
前記外部機器は、
医用画像データと共に前記検査オーダ情報を記憶管理する画像サーバである。
【００１５】
請求項３に記載の発明は、請求項１に記載の発明において、
前記外部機器は、
前記検査オーダ情報を含む医療情報の管理を行う情報管理装置である。
【００１６】
請求項４に記載の発明は、
検査オーダ情報を記憶する可搬型記憶媒体であって、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させるためのプログラムを前記検査オーダ情報と共に記憶する。
【００１７】
請求項５に記載の発明は、請求項４に記載の発明において、
前記外部機器は、
医用画像データと共に前記検査オーダ情報を記憶管理する画像サーバである。
【００１８】
請求項６に記載の発明は、請求項４に記載の発明において、
前記外部機器は、
前記検査オーダ情報を含む医療情報の管理を行う情報管理装置である。
【００１９】
請求項７に記載の発明は、
検査オーダ情報を可搬型記憶媒体に書き込む書込制御手段を備える情報処理装置であって、
前記情報処理装置の書込制御手段は、
コンピュータを、
前記可搬型記憶媒体に記憶された各種データを読み込む読込手段、
通信手段、
前記検査オーダ情報の送信先となる外部機器を設定する設定手段、
前記読込手段により読み込まれた検査オーダ情報を、前記設定手段により設定された外部機器に前記通信手段を介して送信する送信制御手段、
として機能させるためのプログラムを前記検査オーダ情報と共に可搬型記憶媒体に書き込む。
【００２０】
請求項８に記載の発明は、請求項７に記載の発明において、
前記外部機器は、
医用画像データと共に前記検査オーダ情報を記憶管理する画像サーバである。
【００２１】
請求項９に記載の発明は、請求項７に記載の発明において、
前記外部機器は、
前記検査オーダ情報を含む医療情報の管理を行う情報管理装置である。
【発明の効果】
【００２２】
請求項１、４、７に記載の発明によれば、コンピュータは、検査オーダ情報と本発明に係るプログラムを記憶している可搬型記憶媒体を読み込むと、当該検査オーダ情報を送信先として設定された外部機器に送信する。そのため、可搬型記憶媒体に記憶された検査オーダ情報を、容易に画像サーバに登録することができる。
【００２３】
請求項２、５、８に記載の発明によれば、前記検査オーダ情報の送信先として画像サーバが設定される。そのため、可搬型記憶媒体に記憶された検査オーダ情報を、更に容易に画像サーバに登録することができる。
【００２４】
請求項３、６、９に記載の発明によれば、前記検査オーダ情報の送信先として情報管理装置が設定される。そのため、可搬型記憶媒体に記憶された検査オーダ情報を、画像サーバに登録すると共に、情報管理装置に登録することができる。
【発明を実施するための最良の形態】
【００２５】
[第１の実施の形態]
以下、本発明の第１の実施の形態について説明する。
【００２６】
[医用画像システムのシステム構成]
図１に、医用画像システム１のシステム構成を示す。図１に示すように、医用画像システム１は、Ａ病院内医用画像システム１００と診療所内医用画像システム２００とから構成されている。
【００２７】
Ａ病院内医用画像システム１００は、Ａ病院内における医用画像システムである。Ａ病院内医用画像システム１００は、電子カルテシステム１０と、ＲＩＳ２０と、モダリティ３０と、画像ビューワ端末４０と、Ａ病院用画像サーバ５０と、図示しないその他の装置及びシステムとから構成されており、各装置及びシステムは通信ネットワークＮ１を介してデータ通信可能に接続されている。
【００２８】
電子カルテシステム１０は、診療録データの作成、保存管理等を行う。また、電子カルテシステム１０は、ユーザ操作等に基づき、撮影検査のオーダである検査オーダ情報を生成し、当該検査オーダ情報をＲＩＳ２０に送信する。
【００２９】
図２に、電子カルテシステム１０が生成する検査オーダ情報のデータ構成を示す。検査オーダ情報は、「依頼者オーダ番号」「依頼者」「入力組織」「オーダ施設名」「検査項目群ＩＤ」「検査日時」「検査終了日時」「受付番号」「患者移動モード」「検査理由」「撮影技師」等の項目や、後述する患者情報や検査情報に関する情報等を含む。
【００３０】
以下、１検査に対応する検査オーダ情報を検査オーダ情報オブジェクトと称す。また、説明の便宜上、検査オーダ情報オブジェクトを単に検査オーダと称すことがある。
【００３１】
図１に戻り、ＲＩＳ２０は、Ａ病院の放射線科部門内における診療予約、診断結果のレポート、実績管理、材料在庫管理、検査オーダ情報等の医療情報の管理を行う情報管理装置である。ＲＩＳ２０は、電子カルテシステム１０から受信した検査オーダ情報をモダリティ３０及びＡ病院用画像サーバ５０に送信する。
【００３２】
モダリティ３０は、ＲＩＳ２０から受信した検査オーダ情報に従って、患者を撮影し、医用画像の画像データを生成する撮影装置である。また、モダリティ３０は、前記検査オーダ情報に基づいて、前記画像データに関する付帯情報を生成する。そして、モダリティ３０は、前記画像データ（以下、画像実データと称す。）に当該付帯情報を付帯させて、ＤＩＣＯＭ規格に則ったＤＩＣＯＭ画像データを生成し、Ａ病院用画像サーバ５０に送信する。モダリティ３０としては、ＣＲ装置、ＣＴ装置、ＭＲＩ装置等、様々な種類の医用画像を撮影する撮影装置が適用可能である。
【００３３】
図３に、モダリティ３０が生成するＤＩＣＯＭ画像データのデータ構成を示す。前述したように、ＤＩＣＯＭ画像データは、付帯情報と画像実データとから構成される。また、付帯情報は、患者情報、検査情報、シリーズ情報及び画像情報を含む。
【００３４】
患者情報は、患者ＩＤ、患者名、生年月日、性別等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００３５】
また、１人の患者に対して１又は複数の検査が紐付けられる（関連している）。そのため、患者情報と検査情報との間には、１対１、又は１対複数の関連がある。また、１検査に対して１又は複数のシリーズが紐付けられる（関連している）。そのため、検査情報とシリーズ情報との間には、１対１、又は１対複数の関連がある。また、１シリーズに対して１又は複数の医用画像が紐付けられる（関連している）。そのため、シリーズ情報と画像情報との間には、１対１、又は１対複数の関連がある。
【００３６】
以下、医用画像１枚に対応するＤＩＣＯＭ画像データをＤＩＣＯＭ画像データオブジェクトと称す。また、説明の便宜上、ＤＩＣＯＭ画像データオブジェクトや当該ＤＩＣＯＭ画像データオブジェクトに含まれる画像実データを単にＤＩＣＯＭ画像と称すことがある。
【００３７】
また、検査オーダ情報オブジェクトとＤＩＣＯＭ画像データオブジェクトとは、検査オーダ情報オブジェクトの項目「受付番号」並びに「検査インスタンスＵＩＤ」、ＤＩＣＯＭ画像データオブジェクトの付帯情報に含まれる検査情報の「受付番号」並びに「検査インスタンスＵＩＤ」の各々もしくはその両方によって関連付けられる。
【００３８】
図１に戻り、Ａ病院用画像サーバ５０は、モダリティ３０において生成されたＤＩＣＯＭ画像データ等を記憶し、管理する（記憶管理する）情報処理装置である。また、Ａ病院用画像サーバ５０は、電子カルテシステム１０において生成された検査オーダ情報を、前記ＤＩＣＯＭ画像データと共に記憶し、管理する（記憶管理する）。
【００３９】
Ａ病院用画像サーバ５０は、外部機器からＤＩＣＯＭ画像データ取得要求を受信した場合、当該取得要求に応じたＤＩＣＯＭ画像データを当該外部機器に送信する。また、Ａ病院用画像サーバ５０は、外部機器から検査オーダ情報取得要求を受信した場合、当該取得要求に応じた検査オーダ情報を当該外部機器に送信する。
【００４０】
また、Ａ病院用画像サーバ５０は、ＩＨＥおよびＩＨＥ−ＪのＰＤＩによって定められたデータ構造に則って、ＣＤ−ＲやＤＶＤ−Ｒ等のメディアＭ（可搬型記憶媒体）に、記憶管理しているＤＩＣＯＭ画像データ等を書き込む（ＥＸＰＯＲＴする）。また、Ａ病院用画像サーバ５０は、当該ＤＩＣＯＭ画像データと共に、検査オーダ情報とＰＤＩビューワプログラム５５１とＤＩＣＯＭ画像データ送信プログラム５５２と検査オーダ情報送信プログラム５５３とをメディアＭに書き込む。ＤＩＣＯＭ画像データ送信プログラム５５２、検査オーダ情報送信プログラム５５３については後述する。
【００４１】
画像ビューワ端末４０は、高精細モニタを有し、当該高精細モニタにＤＩＣＯＭ画像を表示する端末である。画像ビューワ端末４０は、読影医等によるユーザ操作に基づき、Ａ病院用画像サーバ５０にＤＩＣＯＭ画像データ取得要求を送信し、当該取得要求に応じたＤＩＣＯＭ画像データを取得する。そして、当該ＤＩＣＯＭ画像データに基づきモニタに医用画像（ＤＩＣＯＭ画像）や付帯情報を表示する。また、画像ビューワ端末４０は、読影医によるユーザ操作に基づき、Ａ病院用画像サーバ５０に検査オーダ情報取得要求を送信し、当該取得要求に応じた検査オーダ情報を取得する。そして、当該検査オーダ情報に基づき「検査理由」等、付帯情報以外の情報をモニタに表示する。
【００４２】
診療所内医用画像システム２００は、診療所内における医用画像システムである。診療所内医用画像システム２００は、画像ビューワ端末６０と、汎用ＰＣ端末７０と、モダリティ８０と、診療所用画像サーバ９０とから構成されており、各装置は通信ネットワークＮ２を介してデータ通信可能に接続されている。
【００４３】
モダリティ８０は、患者を撮影し、医用画像の画像データを生成する撮影装置である。また、モダリティ８０は、診療所の医師のユーザ操作による操作信号等に基づいて、前記画像データに関する付帯情報を生成する。そして、モダリティ８０は、前記画像データ（画像実データ）に当該付帯情報を付帯させて、ＤＩＣＯＭ規格に則ったＤＩＣＯＭ画像データを生成し、診療所用画像サーバ９０に送信する。モダリティ８０としては、ＣＲ装置、ＣＴ装置、ＭＲＩ装置等、様々な種類の医用画像を撮影する撮影装置が適用可能である。
【００４４】
診療所用画像サーバ９０は、モダリティ８０等において生成されたＤＩＣＯＭ画像データ等を記憶し、管理する（記憶管理する）。また、診療所用画像サーバ９０は、外部機器から受信した検査オーダ情報を、前記ＤＩＣＯＭ画像データと共に記憶し、管理する（記憶管理する）。
【００４５】
診療所用画像サーバ９０は、外部機器からＤＩＣＯＭ画像データ取得要求を受信した場合、当該取得要求に応じたＤＩＣＯＭ画像データを当該外部機器に送信する。また、診療所用画像サーバ９０は、外部機器から検査オーダ情報取得要求を受信した場合、当該取得要求に応じた検査オーダ情報を当該外部機器に送信する。
【００４６】
画像ビューワ端末６０は、高精細モニタを有し、当該高精細モニタにＤＩＣＯＭ画像を表示する端末である。画像ビューワ端末６０は、診療所の医師等によるユーザ操作に基づき、診療所用画像サーバ９０にＤＩＣＯＭ画像データ取得要求を送信し、当該取得要求に応じたＤＩＣＯＭ画像データを取得する。そして、当該ＤＩＣＯＭ画像データに基づきモニタに医用画像（ＤＩＣＯＭ画像）や付帯情報を表示する。また、画像ビューワ端末６０は、診療所の医師等によるユーザ操作に基づき、診療所用画像サーバ９０に検査オーダ情報取得要求を送信し、当該取得要求に応じた検査オーダ情報を取得する。そして、当該検査オーダ情報に基づき「検査理由」等、付帯情報以外の情報をモニタに表示する。
【００４７】
汎用ＰＣ端末７０は、通常の汎用ＰＣであり、メディアＭから各種データを読み出す。汎用ＰＣ端末７０は、Ａ病院用画像サーバ５０において書き込まれたＤＩＣＯＭ画像データ、ＰＤＩビューワプログラム５５１、検査オーダ情報、ＤＩＣＯＭ画像データ送信プログラム５５２、検査オーダ情報送信プログラム５５３等をメディアＭから読み出し、これらの情報を診療所用画像サーバ９０に送信する。
【００４８】
[Ａ病院用画像サーバの機能的構成]
図４に、Ａ病院用画像サーバ５０の機能的構成を示す。図４に示すように、Ａ病院用画像サーバ５０は、制御部５１、操作部５２、表示部５３、通信部５４、記憶部５５、メディアドライブ５６を備えて構成され、各部はバス５７により接続されている。
【００４９】
制御部５１は、ＣＰＵ（Central Processing Unit）、ＲＡＭ（Random Access Memory）等から構成され、Ａ病院用画像サーバ５０の各部の処理動作を統括的に制御する。具体的には、ＣＰＵは、操作部５２から入力される操作信号又は通信部５４により受信される指示信号に応じて、記憶部５５に記憶されている各種処理プログラムを読み出し、ＲＡＭ内に形成されたワークエリアに展開し、当該プログラムとの協働により各種処理を行う。
【００５０】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００５１】
表示部５３は、ＬＣＤ（Liquid Crystal Display）により構成され、制御部５１から入力される表示データに基づいて各種画面を表示する。
【００５２】
通信部５４は、ＬＡＮ（Local Area Network）アダプタ、ルータ、ＴＡ（Terminal Adapter）等を備え、通信ネットワークＮ１を介して接続されたＲＩＳ２０、モダリティ３０、画像ビューワ端末４０等の外部機器との間でデータの送受信を行う。
【００５３】
記憶部５５は、ハードディスク等から構成され、制御プログラム、当該プログラムの実行に必要なパラメータやファイル等を記憶している。また、記憶部５５は、モダリティ３０により生成されたＤＩＣＯＭ画像データ（１又は複数のＤＩＣＯＭ画像データオブジェクト）を記憶する。また、記憶部５５は、電子カルテシステム１０において生成され、ＲＩＳ２０から送信された検査オーダ情報（１又は複数の検査オーダ情報オブジェクト）を記憶する。また、記憶部５５は、ＰＤＩビューワプログラム５５１、ＤＩＣＯＭ画像データ送信プログラム５５２、検査オーダ情報送信プログラム５５３を記憶する。また、記憶部５５は、ＤＩＣＯＭ画像データ及び検査オーダ情報を管理するデータベースプログラムを記憶する（図示せず）。
【００５４】
メディアドライブ５６は、制御部５１からの制御信号に基づき、メディアＭに各種データを書き込む。また、メディアドライブ５６は、制御部５１からの制御信号に基づき、メディアＭに記憶されているデータを読み出す。
【００５５】
制御部５１は、操作部５２からの操作信号等に基づいて、ＤＩＣＯＭ画像データ（１又は複数のＤＩＣＯＭ画像データオブジェクト）、検査オーダ情報（前記ＤＩＣＯＭ画像データオブジェクト群に関する１又は複数の検査オーダ情報オブジェクト）、ＰＤＩビューワプログラム５５１、ＤＩＣＯＭ画像データ送信プログラム５５２、検査オーダ情報送信プログラム５５３を記憶部５５から読み出し、メディアドライブ５６を介してメディアＭに書き込む。
【００５６】
図５に、このメディアＭが記憶するデータを示す。メディアＭは、ＤＩＣＯＭ画像データ（１又は複数のＤＩＣＯＭ画像データオブジェクト）と、検査オーダ情報（前記ＤＩＣＯＭ画像データオブジェクト群に関する１又は複数の検査オーダ情報オブジェクト）と、ＰＤＩビューワプログラム５５１、ＤＩＣＯＭ画像データ送信プログラム５５２、検査オーダ情報送信プログラム５５３とを記憶する。
【００５７】
ここで、ＤＩＣＯＭ画像データ送信プログラム５５２とは、当該プログラムを読み込むコンピュータに対して、メディアＭに共に記憶されているＤＩＣＯＭ画像データ（１又は複数のＤＩＣＯＭ画像データオブジェクト）を、このコンピュータと通信可能に接続されている外部機器（画像サーバ等）に送信させるためのプログラムである。
【００５８】
検査オーダ情報送信プログラム５５３とは、当該プログラムを読み込むコンピュータに対して、メディアＭに共に記憶されている検査オーダ情報（１又は複数の検査オーダ情報オブジェクト）を、このコンピュータと通信可能に接続されている外部機器（画像サーバ等）に送信させるためのプログラムである。
【００５９】
図４に戻り、制御部５１は、記憶部５５に記憶されたデータベースプログラムと協働して、記憶部５５に記憶されているＤＩＣＯＭ画像データ（１又は複数のＤＩＣＯＭ画像データオブジェクト）と検査オーダ情報（１又は複数の検査オーダ情報オブジェクト）を管理する。
【００６０】
制御部５１は、通信部５４を介して、外部機器からＤＩＣＯＭ画像データを受信すると、当該ＤＩＣＯＭ画像データを記憶部５５に記憶させ、データベースに登録する（管理する）。また、制御部５１は、通信部５４を介して、外部機器から検査オーダ情報を受信すると、当該検査オーダ情報を記憶部５５に記憶させ、データベースに登録する（管理する）。
【００６１】
制御部５１は、通信部５４を介して、外部機器からＤＩＣＯＭ画像データ取得要求を受信すると、当該ＤＩＣＯＭ画像データ取得要求に応じたＤＩＣＯＭ画像データオブジェクトを記憶部５５から読み出す。そして、制御部５１は、通信部５４を介して、当該読み出したＤＩＣＯＭ画像データオブジェクトを外部機器に送信（提供）する。
【００６２】
また、制御部５１は、通信部５４を介して、外部機器から検査オーダ情報取得要求を受信すると、当該検査オーダ情報取得要求に応じた検査オーダ情報オブジェクトを記憶部５５から読み出す。そして、制御部５１は、通信部５４を介して、当該読み出した検査オーダ情報オブジェクトを外部機器に送信（提供）する。
【００６３】
[診療所用画像サーバの機能的構成]
図６に、診療所用画像サーバ９０の機能的構成を示す。図６に示すように、診療所用画像サーバ９０は、制御部９１、操作部９２、表示部９３、通信部９４、記憶部９５を備えて構成され、各部はバス９６により接続されている。
【００６４】
制御部９１は、ＣＰＵ、ＲＡＭ等から構成され、診療所用画像サーバ９０の各部の処理動作を統括的に制御する。具体的には、ＣＰＵは、操作部９２から入力される操作信号又は通信部９４により受信される指示信号に応じて、記憶部９５に記憶されている各種処理プログラムを読み出し、ＲＡＭ内に形成されたワークエリアに展開し、当該プログラムとの協働により各種処理を行う。
【００６５】
操作部９２は、カーソルキー、数字入力キー、及び各種機能キー等を備えたキーボードと、マウス等のポインティングデバイスを備えて構成され、キーボードに対するキー操作やマウス操作により入力された操作信号を制御部９１に出力する。
【００６６】
表示部９３は、ＬＣＤ（Liquid Crystal Display）により構成され、制御部９１から入力される表示データに基づいて各種画面を表示する。
【００６７】
通信部９４は、ＬＡＮ（Local Area Network）アダプタ、ルータ、ＴＡ（Terminal Adapter）等を備え、通信ネットワークＮ２を介して接続された画像ビューワ端末６０、汎用ＰＣ端末７０、モダリティ８０等の外部機器との間でデータの送受信を行う。
【００６８】
記憶部９５は、ハードディスク等から構成され、制御プログラム、当該プログラムの実行に必要なパラメータやファイル等を記憶している。また、記憶部９５は、モダリティ８０等により生成されたＤＩＣＯＭ画像データ（１又は複数のＤＩＣＯＭ画像データオブジェクト）を記憶する。また、記憶部９５は、汎用ＰＣ端末７０から送信された検査オーダ情報（１又は複数の検査オーダ情報オブジェクト）を記憶する。また、記憶部９５は、ＤＩＣＯＭ画像データ及び検査オーダ情報を管理するデータベースプログラムを記憶する（図示せず）。
【００６９】
制御部９１は、記憶部９５に記憶されたデータベースプログラムと協働して、記憶部９５に記憶されているＤＩＣＯＭ画像データ（１又は複数のＤＩＣＯＭ画像データオブジェクト）と検査オーダ情報（１又は複数の検査オーダ情報オブジェクト）を管理する。
【００７０】
制御部９１は、通信部９４を介して、外部機器からＤＩＣＯＭ画像データを受信すると、当該ＤＩＣＯＭ画像データを記憶部９５に記憶させ、データベースに登録する（管理する）。また、制御部９１は、通信部９４を介して、外部機器から検査オーダ情報を受信すると、当該検査オーダ情報を記憶部９５に記憶させ、データベースに登録する（管理する）。
【００７１】
制御部９１は、通信部９４を介して、外部機器からＤＩＣＯＭ画像データ取得要求を受信すると、当該ＤＩＣＯＭ画像データ取得要求に応じたＤＩＣＯＭ画像データオブジェクトを記憶部９５から読み出す。そして、制御部９１は、通信部９４を介して、当該読み出したＤＩＣＯＭ画像データオブジェクトを外部機器に送信（提供）する。
【００７２】
また、制御部９１は、通信部９４を介して、外部機器から検査オーダ情報取得要求を受信すると、当該検査オーダ情報取得要求に応じた検査オーダ情報オブジェクトを記憶部９５から読み出す。そして、制御部９１は、通信部９４を介して、当該読み出した検査オーダ情報オブジェクトを外部機器に送信（提供）する。
【００７３】
[汎用ＰＣ端末の機能的構成]
図７に、汎用ＰＣ端末７０の機能的構成を示す。図７に示すように、汎用ＰＣ端末７０は、制御部７１、操作部７２、表示部７３、通信部７４、記憶部７５、メディアドライブ７６を備えて構成され、各部はバス７７により接続されている。
【００７４】
制御部７１は、ＣＰＵ、ＲＡＭ等から構成され、汎用ＰＣ端末７０の各部の処理動作を統括的に制御する。具体的には、ＣＰＵは、操作部７２から入力される操作信号又は通信部７４により受信される指示信号に応じて、記憶部７５に記憶されている各種処理プログラムを読み出し、ＲＡＭ内に形成されたワークエリアに展開し、当該プログラムとの協働により各種処理を行う。
【００７５】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００７６】
表示部７３は、ＬＣＤ（Liquid Crystal Display）により構成され、制御部７１から入力される表示データに基づいて各種画面を表示する。
【００７７】
通信部７４は、ＬＡＮ（Local Area Network）アダプタ、ルータ、ＴＡ（Terminal Adapter）等を備え、通信ネットワークＮ２を介して接続された診療所用画像サーバ９０等の外部機器との間でデータの送受信を行う。
【００７８】
記憶部７５は、ハードディスク等から構成され、制御プログラム、当該プログラムの実行に必要なパラメータやファイル等を記憶している。また、記憶部７５は、画像サーバ所在情報７５１を記憶している。画像サーバ所在情報７５１とは、診療所内医用画像システム２００内における画像サーバ（診療所用画像サーバ９０）の所在を示す情報である。具体的には、画像サーバの「ＩＰアドレス」、「ポート番号」の項目から構成される。当該画像サーバ所在情報７５１の各項目は、ユーザ操作による操作部７２からの操作信号に基づき、予め設定されていることとしてもよいし、ＤＩＣＯＭ画像データ送信プログラム５５２や検査オーダ情報送信プログラム５５３が起動してから設定されることとしてもよい。
【００７９】
メディアドライブ７６は、制御部７１からの制御信号に基づき、メディアＭに各種データを書き込む。また、メディアドライブ７６は、制御部７１からの制御信号に基づき、メディアＭに記憶されているデータを読み出す。
【００８０】
制御部７１は、メディアドライブ７６を介して、メディアＭからＤＩＣＯＭ画像データ（１又は複数のＤＩＣＯＭ画像データオブジェクト）、検査オーダ情報（前記ＤＩＣＯＭ画像データオブジェクト群に関する１又は複数の検査オーダ情報オブジェクト）、ＰＤＩビューワプログラム５５１、ＤＩＣＯＭ画像データ送信プログラム５５２、検査オーダ情報送信プログラム５５３を読み込む。そして、制御部７１は、当該ＤＩＣＯＭ画像データ送信プログラム５５２と協働で、メディアＭに記憶されているＤＩＣＯＭ画像データ（１又は複数のＤＩＣＯＭ画像データオブジェクト）を、診療所用画像サーバ９０に通信部７４を介して送信する。また、制御部７１は、当該検査オーダ情報送信プログラム５５３と協働で、メディアＭに記憶されている検査オーダ情報（１又は複数の検査オーダ情報オブジェクト）を、診療所用画像サーバ９０に通信部７４を介して送信する。
【００８１】
[診療所内医用画像システムにおける各装置の具体的な動作]
次に、診療所内医用画像システム２００において実行される各装置の具体的な動作について図８を用いて説明する。
【００８２】
まず、汎用ＰＣ端末７０のメディアドライブ７６に、Ａ病院用画像サーバ５０においてデータが書き込まれたメディアＭがセットされると、汎用ＰＣ端末７０の制御部７１は、メディアＭがセットされたことを検知する。そして、制御部７１は、メディアドライブ７６を介して、メディアＭからＤＩＣＯＭ画像データオブジェクト群と、１又は複数の検査オーダ情報オブジェクトと、ＰＤＩビューワプログラム５５１と、ＤＩＣＯＭ画像データ送信プログラム５５２と、検査オーダ情報送信プログラム５５３とを読み出し、記憶部７５に一時記憶させる（ステップＳ１）。尚、メディアＭに記憶された各種データを記憶部７５に一時記憶させず、制御部７１が、必要に応じてメディアＭから各種データを直接読み込み、ＲＡＭに展開する構成としてもよい。
【００８３】
そして、制御部７１は、検査オーダ情報送信プログラム５５３を記憶部７５から読み出し、この検査オーダ情報送信プログラム５５３を起動する（ステップＳ２）。
【００８４】
そして、制御部７１は、ユーザ操作による操作部７２からの操作信号等に基づき、画像サーバ（診療所用画像サーバ９０）に登録する（送信する）検査オーダ情報オブジェクトを選択する（ステップＳ３）。
【００８５】
次に、制御部７１は、記憶部７５に記憶されている画像サーバ所在情報７５１の「ＩＰアドレス」、「ポート番号」等に基づいて、選択した検査オーダ情報オブジェクトの送信先を設定（決定）する。ここで、制御部７１は、選択した検査オーダ情報オブジェクトの送信先を診療所用画像サーバ９０と設定（決定）する。そして、制御部７１は、通信部７４を介して、検査オーダ情報オブジェクトを診療所用画像サーバ９０に送信する（ステップＳ４）。
【００８６】
そして、診療所用画像サーバ９０の制御部９１は、汎用ＰＣ端末７０から送信された検査オーダ情報（１又は複数の検査オーダ情報オブジェクト）を記憶部７５に保存し、データベースに登録する（ステップＳ５）。
【００８７】
また、汎用ＰＣ端末７０の制御部７１は、ＤＩＣＯＭ画像データ送信プログラム５５２を記憶部７５から読み出し、このＤＩＣＯＭ画像データ送信プログラム５５２を起動する（ステップＳ６）。
【００８８】
そして、制御部７１は、ユーザ操作による操作部７２からの操作信号等に基づき、画像サーバ（診療所用画像サーバ９０）に登録する（送信する）ＤＩＣＯＭ画像データオブジェクトを選択する（ステップＳ７）。
【００８９】
そして、制御部７１は、選択したＤＩＣＯＭ画像データオブジェクトを、通信部７４を介して、画像サーバ所在情報７５１に基づいて設定（決定）された診療所用画像サーバ９０に送信する（ステップＳ８）。
【００９０】
そして、診療所用画像サーバ９０の制御部９１は、汎用ＰＣ端末７０から送信されたＤＩＣＯＭ画像データ（１又は複数のＤＩＣＯＭ画像データオブジェクト）を記憶部７５に保存し、データベースに登録する（ステップＳ９）。
【００９１】
そして、制御部９１は、ステップＳ５において登録した検査オーダ情報オブジェクトと、ステップＳ９において登録したＤＩＣＯＭ画像データオブジェクト群とを、検査オーダ情報オブジェクトの項目「受付番号」並びに「検査インスタンスＵＩＤ」、ＤＩＣＯＭ画像データオブジェクトの付帯情報に含まれる検査情報の「受付番号」並びに「検査インスタンスＵＩＤ」の各々もしくはその両方によって関連付ける（ステップＳ１０）。
【００９２】
以上、第１の実施の形態によれば、Ａ病院用画像サーバ５０において、メディアＭに検査オーダ情報と共に書き込まれた検査オーダ情報送信プログラム５５３は、当該プログラムを読み込んだ汎用ＰＣ端末７０に、画像サーバ所在情報７５１で設定されている診療所用画像サーバ９０にこの検査オーダ情報を送信させる。そして、診療所用画像サーバ９０は、当該検査オーダ情報をデータベースに登録する。
【００９３】
そのため、診療所内医用画像システム２００のような、検査オーダ情報等の医療情報の管理を行う情報管理装置（ＲＩＳ）が無く、検査オーダ情報に関する連携がとれていない小規模な医療施設（診療所内医用画像システム２００）においても、汎用ＰＣ端末７０にメディアＭを読み込ませるだけで、当該メディアＭに記憶されている検査オーダ情報を、診療所用画像サーバ９０に登録することができる。よって、可搬型記憶媒体に記憶された検査オーダ情報を、容易に画像サーバに登録することができる。
【００９４】
また、診療所用画像サーバ９０に検査オーダ情報が登録されることにより、画像ビューワ端末６０は、ＤＩＣＯＭ画像データの他に、検査オーダ情報も当該診療所用画像サーバ９０から取得することができる。そのため、画像ビューワ端末６０は、ＤＩＣＯＭ画像と付帯情報の他に、検査オーダ情報固有の情報（例えば「検査理由」）もモニタに表示することができる。よって、診療所に勤務する医師等は、ＤＩＣＯＭ画像と付帯情報のみを参照する場合に比べて、より多くの情報を参照することができる。
【００９５】
[第２の実施の形態]
以下、本発明の第２の実施の形態について説明する。第２の実施の形態では、Ａ病院における医用画像システム（Ａ病院内医用画像システム１００）を構成するＡ病院用画像サーバ５０の不具合の解析を、当該Ａ病院用画像サーバ５０のベンダが行う場合を想定している。
【００９６】
[医用画像システムのシステム構成]
図９に、医用画像システム２のシステム構成を示す。図９に示すように、医用画像システム２は、Ａ病院内医用画像システム１００と画像サーバ評価システム３００とから構成されている。
【００９７】
Ａ病院内医用画像システム１００は、Ａ病院内における医用画像システムである。Ａ病院内医用画像システム１００は、第１の実施の形態におけるＡ病院内医用画像システム１００と同様の構成となっているため、その説明を省略する。
【００９８】
画像サーバ評価システム３００は、Ａ病院用画像サーバ５０のベンダが、当該Ａ病院用画像サーバ５０の不具合を解析するための評価システムである。画像サーバ評価システム３００は、汎用ＰＣ端末３１０と、画像ビューワ端末３２０と、評価用画像サーバ３３０とから構成されており、各装置は通信ネットワークＮ３を介してデータ通信可能に接続されている。
【００９９】
評価用画像サーバ３３０は、Ａ病院内医用画像システム１００のＡ病院用画像サーバ５０と同様の構成となっており、同様の機能を有する。
【０１００】
画像ビューワ端末３２０は、Ａ病院内医用画像システム１００の画像ビューワ端末４０と同様の構成となっており、同様の機能を有する。
【０１０１】
汎用ＰＣ端末３１０は、第１の実施の形態における診療所内医用画像システム２００の汎用ＰＣ端末７０と同様の構成となっており、同様の機能を有する。
【０１０２】
[画像サーバ評価システムにおける各装置の具体的な動作]
次に、画像サーバ評価システム３００において実行される各装置の具体的な動作について説明する。
【０１０３】
まず、Ａ病院内医用画像システム１００において、Ａ病院用画像サーバ５０のベンダの作業者のユーザ操作等に基づいて、不具合を生じたＡ病院用画像サーバ５０は、記憶管理しているＤＩＣＯＭ画像データ、検査オーダ情報、ＰＤＩビューワプログラム５５１、ＤＩＣＯＭ画像データ送信プログラム５５２、検査オーダ情報送信プログラム５５３等を、メディアＭに出力する（書き込む）。
【０１０４】
そして、不具合を生じたＡ病院用画像サーバ５０が記憶管理している検査オーダ情報、医用画像データ等のデータ解析を行うため、ベンダの作業者は、メディアＭを自社（ベンダ）に持ち帰り、自社にある画像サーバ評価システム３００の汎用ＰＣ端末３１０にメディアＭをセットする。
【０１０５】
メディアＭがセットされると、汎用ＰＣ端末３１０は、メディアＭからＤＩＣＯＭ画像データ、検査オーダ情報、ＰＤＩビューワプログラム５５１、ＤＩＣＯＭ画像データ送信プログラム５５２、検査オーダ情報送信プログラム５５３を読み出す。
【０１０６】
そして、汎用ＰＣ端末３１０は、自装置の記憶部に記憶された画像サーバ所在情報７５１に基づいて、検査オーダ情報、ＤＩＣＯＭ画像データの送信先を評価用画像サーバ３３０と設定する。そして、汎用ＰＣ端末３１０は、検査オーダ情報とＤＩＣＯＭ画像データとを評価用画像サーバ３３０に送信する。そして、評価用画像サーバ３３０は、汎用ＰＣ端末３１０から送信された検査オーダ情報とＤＩＣＯＭ画像データとをデータベースに登録する。
【０１０７】
そして、ベンダの作業者は、画像ビューワ端末３２０において、Ａ病院用画像サーバ５０と同様の構成、機能を有する評価用画像サーバ３３０から、前記検査オーダ情報とＤＩＣＯＭ画像データ等を取得し参照することにより、Ａ病院用画像サーバ５０の不具合状況を解析、評価する。
【０１０８】
具体的に、画像ビューワ端末３２０は、ベンダの作業者のユーザ操作等に基づき、評価用画像サーバ３３０に、検査オーダ情報取得要求、ＤＩＣＯＭ画像データ取得要求を送信する。そして、画像ビューワ端末３２０は、評価用画像サーバ３３０から検査オーダ情報とＤＩＣＯＭ画像データを受信し、モニタに表示する。
【０１０９】
以上、第２の実施の形態によれば、Ａ病院用画像サーバ５０において、メディアＭに検査オーダ情報と共に書き込まれた検査オーダ情報送信プログラム５５３は、当該プログラムを読み込んだ汎用ＰＣ端末３１０に、画像サーバ所在情報７５１で設定されている評価用画像サーバ３３０にこの検査オーダ情報を送信させる。そして、評価用画像サーバ３３０は、当該検査オーダ情報をデータベースに登録する。
【０１１０】
そのため、画像サーバ等の不具合の解析を行う評価システム内の装置間で、検査オーダ情報に関する連携がとれていない場合でも、容易に評価システム内の画像サーバに検査オーダ情報を登録することができる。そして、登録した検査オーダ情報に基づいて評価対象（不具合解析対象）となっている画像サーバの不具合の再現が可能となる。
【０１１１】
[第３の実施の形態]
以下、本発明の第３の実施の形態について説明する。
【０１１２】
[医用画像システムのシステム構成]
図１０に、医用画像システム３のシステム構成を示す。図１０に示すように、医用画像システム３は、Ａ病院内医用画像システム１００とＢ病院内医用画像システム４００とから構成されている。
【０１１３】
Ａ病院内医用画像システム１００は、Ａ病院内における医用画像システムである。Ａ病院内医用画像システム１００は、第１の実施の形態におけるＡ病院内医用画像システム１００と同様の構成となっているため、その説明を省略する。
【０１１４】
Ｂ病院内医用画像システム４００は、Ｂ病院内における医用画像システムである。Ｂ病院内医用画像システム４００は、電子カルテシステム４１０と、ＲＩＳ４２０と、汎用ＰＣ端末４３０と、モダリティ４４０と、Ｂ病院用画像サーバ４５０と、画像ビューワ端末４６０とから構成されており、各装置は通信ネットワークＮ４を介してデータ通信可能に接続されている。
【０１１５】
電子カルテシステム４１０は、Ａ病院内医用画像システム１００の電子カルテシステム１０と同様の構成となっており、同様の機能を有する。
【０１１６】
ＲＩＳ４２０は、Ａ病院内医用画像システム１００のＲＩＳ２０と同様の構成となっており、同様の機能を有する。
【０１１７】
モダリティ４４０は、Ａ病院内医用画像システム１００のモダリティ３０と同様の構成となっており、同様の機能を有する。
【０１１８】
Ｂ病院用画像サーバ４５０は、Ａ病院内医用画像システム１００のＡ病院用画像サーバ５０と同様の構成となっており、同様の機能を有する。
【０１１９】
画像ビューワ端末４６０は、Ａ病院内医用画像システム１００の画像ビューワ端末４０と同様の構成となっており、同様の機能を有する。
【０１２０】
汎用ＰＣ端末４３０は、第１の実施の形態における診療所内医用画像システム２００の汎用ＰＣ端末７０と同様の構成となっており、同様の機能を有する。また、汎用ＰＣ端末４３０は、自装置の記憶部に画像サーバ所在情報７５１を記憶する他に、情報管理装置所在情報７５２を記憶する。情報管理装置所在情報７５２とは、Ｂ病院内医用画像システム４００内における情報管理装置（ＲＩＳ４２０）の所在を示す情報である。具体的には、情報管理装置の「ＩＰアドレス」、「ポート番号」の項目から構成される。
【０１２１】
[Ｂ病院内医用画像システムにおける各装置の具体的な動作]
次に、Ｂ病院内医用画像システム４００において実行される各装置の具体的な動作について図１１を用いて説明する。
【０１２２】
まず、汎用ＰＣ端末４３０のメディアドライブに、Ａ病院用画像サーバ５０においてデータが書き込まれたメディアＭがセットされると、汎用ＰＣ端末４３０は、メディアＭがセットされたことを検知する。そして、汎用ＰＣ端末４３０は、メディアドライブを介して、メディアＭからＤＩＣＯＭ画像データオブジェクト群と、１又は複数の検査オーダ情報オブジェクトと、ＰＤＩビューワプログラム５５１と、ＤＩＣＯＭ画像データ送信プログラム５５２と、検査オーダ情報送信プログラム５５３とを読み出す（ステップＳ１０１）。
【０１２３】
そして、汎用ＰＣ端末４３０は、検査オーダ情報送信プログラム５５３を起動する（ステップＳ１０２）。
【０１２４】
そして、汎用ＰＣ端末４３０は、ユーザ操作による操作部からの操作信号等に基づき、情報管理装置（ＲＩＳ４２０）に送信する検査オーダ情報オブジェクトを選択する（ステップＳ１０３）。
【０１２５】
次に、汎用ＰＣ端末４３０は、情報管理装置所在情報７５２の「ＩＰアドレス」、「ポート番号」等に基づいて、選択した検査オーダ情報オブジェクトの送信先を決定する。ここで、汎用ＰＣ端末４３０は、選択した検査オーダ情報オブジェクトの送信先をＲＩＳ４２０と決定する。そして、汎用ＰＣ端末４３０は、検査オーダ情報オブジェクトをＲＩＳ４２０に送信する（ステップＳ１０４）。
【０１２６】
ＲＩＳ４２０は、汎用ＰＣ端末４３０から検査オーダ情報オブジェクトを受信すると、この検査オーダ情報オブジェクトを保存し、管理する（ステップＳ１０５）。そして、ＲＩＳ４２０は、当該管理している検査オーダ情報オブジェクトをＢ病院用画像サーバ４５０に送信する（ステップＳ１０６）。
【０１２７】
Ｂ病院用画像サーバ４５０は、ＲＩＳ４２０から検査オーダ情報オブジェクトを受信すると、当該受信した検査オーダ情報オブジェクトを保存し、データベースに登録する（ステップＳ１０７）。
【０１２８】
また、汎用ＰＣ端末４３０は、ＤＩＣＯＭ画像データ送信プログラム５５２を起動する（ステップＳ１０８）。
【０１２９】
そして、汎用ＰＣ端末４３０は、ユーザ操作による操作部からの操作信号等に基づき、画像サーバ（Ｂ病院用画像サーバ４５０）に送信するＤＩＣＯＭ画像データオブジェクトを選択する（ステップＳ１０９）。
【０１３０】
次に、汎用ＰＣ端末４３０は、画像サーバ所在情報７５１の「ＩＰアドレス」、「ポート番号」等に基づいて、選択したＤＩＣＯＭ画像データオブジェクトの送信先を設定する。ここで、汎用ＰＣ端末４３０は、選択したＤＩＣＯＭ画像データオブジェクトの送信先をＢ病院用画像サーバ４５０と決定する。そして、汎用ＰＣ端末４３０は、ＤＩＣＯＭ画像データオブジェクトをＢ病院用画像サーバ４５０に送信する（ステップＳ１１０）
【０１３１】
Ｂ病院用画像サーバ４５０は、汎用ＰＣ端末４３０からＤＩＣＯＭ画像データ（１又は複数のＤＩＣＯＭ画像データオブジェクト）を受信すると、当該受信したＤＩＣＯＭ画像データを保存し、データベースに登録する（ステップＳ１１１）。
【０１３２】
そして、Ｂ病院用画像サーバ４５０は、ステップＳ１０７において登録した検査オーダ情報オブジェクトと、ステップＳ１１１において登録したＤＩＣＯＭ画像データオブジェクト群とを関連付ける（ステップＳ１１２）。
【０１３３】
以上、第３の実施の形態によれば、Ａ病院用画像サーバ５０において、メディアＭに検査オーダ情報と共に書き込まれた検査オーダ情報送信プログラム５５３は、当該プログラムを読み込んだ汎用ＰＣ端末４３０に、情報管理装置所在情報７５２で設定されているＲＩＳ４２０にこの検査オーダ情報を送信させる。そして、ＲＩＳ４２０は、当該検査オーダ情報を登録し、Ｂ病院用画像サーバ４５０に送信する。
【０１３４】
そのため、検査オーダ情報に関する連携がとれている医療施設（Ｂ病院内医用画像システム４００）において、汎用ＰＣ端末４３０のような装置にメディアＭを読み込ませるだけで、自医療施設（Ｂ病院）において管理していた検査オーダ情報と共に、メディアＭから読み込んだ他施設（Ａ病院）の検査オーダ情報を管理することが可能になる。
【０１３５】
尚、上記各実施の形態における記述は、本発明に係る医用画像システムの一例であり、これに限定されるものではない。システムを構成する各装置の細部構成及び細部動作に関しても適宜変更可能である。
【０１３６】
例えば、上記各実施の形態において、検査オーダ情報オブジェクトや検査オーダ情報送信プログラム５５３等をメディアＭに書き込む機能を、Ａ病院用画像サーバ５０に持たせる構成としたが、当該機能をモダリティ３０に持たせる構成としてもよい。
【０１３７】
また、上記各実施の形態では、プログラムを格納したコンピュータ読み取り可能な媒体としてハードディスクや可搬型記憶媒体を使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１３８】
【図１】本発明の第１の実施の形態における医用画像システムのシステム構成図である。
【図２】検査オーダ情報のデータ構成図である。
【図３】ＤＩＣＯＭ画像データのデータ構成図である。
【図４】Ａ病院用画像サーバのブロック図である。
【図５】メディアＭに記憶されているデータのデータ構成図である。
【図６】診療所用画像サーバのブロック図である。
【図７】汎用ＰＣ端末のブロック図である。
【図８】診療所内医用画像システムにおいて実行される処理を示すラダーチャートである。
【図９】本発明の第２の実施の形態における医用画像システムのシステム構成図である。
【図１０】本発明の第３の実施の形態における医用画像システムのシステム構成図である。
【図１１】Ｂ病院内医用画像システムにおいて実行される処理を示すラダーチャートである。
【符号の説明】
【０１３９】
１        医用画像システム
２        医用画像システム
３        医用画像システム
１０      電子カルテシステム
２０      ＲＩＳ
３０      モダリティ
４０      画像ビューワ端末
５０      Ａ病院用画像サーバ
５１      制御部
５２      操作部
５３      表示部
５４      通信部
５５      記憶部
５６      メディアドライブ
５７      バス
６０      画像ビューワ端末
７０      汎用ＰＣ端末
７１      制御部
７２      操作部
７３      表示部
７４      通信部
７５      記憶部
７６      メディアドライブ
７７      バス
８０      モダリティ
９０      診療所用画像サーバ
９１      制御部
９２      操作部
９３      表示部
９４      通信部
９５      記憶部
９６      バス
１００    Ａ病院内医用画像システム
２００    診療所内医用画像システム
３００    画像サーバ評価システム
３１０    汎用ＰＣ端末
３２０    画像ビューワ端末
３３０    評価用画像サーバ
４００    Ｂ病院内医用画像システム
４１０    電子カルテシステム
４２０    ＲＩＳ
４３０    汎用ＰＣ端末
４４０    モダリティ
４５０    Ｂ病院用画像サーバ
４６０    画像ビューワ端末
５５１    ＰＤＩビューワプログラム
５５２    ＤＩＣＯＭ画像データ送信プログラム
５５３    検査オーダ情報送信プログラム
７５１    画像サーバ所在情報
７５２    情報管理装置所在情報
Ｍ        メディア
Ｎ１      通信ネットワーク
Ｎ２      通信ネットワーク
Ｎ３      通信ネットワーク
Ｎ４      通信ネットワーク
【図１】
2009271802.tif 000003
【図２】
2009271802.tif 000004
【図３】
2009271802.tif 000005
【図４】
2009271802.tif 000006
【図５】
2009271802.tif 000007
【図６】
2009271802.tif 000008
【図７】
2009271802.tif 000009
【図８】
2009271802.tif 000010
【図９】
2009271802.tif 000011
【図１０】
2009271802.tif 000012
【図１１】
2009271802.tif 000013